(57)【特許請求の範囲】
【請求項１】
回転軸に連結された中央ボス部、および該中央ボスの外周部に取り付けられた複数の回転羽根を有するファンと、前記ファンを囲繞する筒状のハウジングとを備えたファンユニットに取り付けられ前記ファンの前記ハウジングからの飛び出しを防止するファン飛び出し防止用アダプタであり、
前記中央ボス部に所定の間隔を空けて対向する対向部と、
前記ハウジングに掛止された基部と、
前記基部から細長形状に延び前記対向部を支持する支持部と
を備え、
前記ハウジングの開口縁部には矩形形状のフランジ部が形成されており、
前記基部は、前記フランジ部の辺に沿って延びるとともに、両端部には前記ハウジングの開口縁部に係合する係合爪を有し、この係合爪は前記フランジ部の辺に係合され、少なくとも１つの前記係合爪には前記フランジ部に形成された係合凹部に係合して、前記基部のスライドを防止する係合凸部が形成されている
ことを特徴とするファン飛び出し防止用アダプタ。
【請求項２】
前記対向部は、前記中央ボス部と概ね同じ直径の概略円板状を成し、
飛び出そうとする前記ファンに接触した際、該ファンの半径方向への移動を規制する規制枠部を周縁部に有している
ことを特徴とする請求項１に記載のファン飛び出し防止用アダプタ。
【請求項３】
前記規制枠部は、前記対向部の周縁部に全周にわたって立設されている
ことを特徴とする請求項２に記載のファン飛び出し防止用アダプタ。
【請求項４】
前記規制枠部は、前記対向部の周縁部に略等間隔に断続的に形成されている
ことを特徴とする請求項２に記載のファン飛び出し防止用アダプタ。
【請求項５】
前記対向部は、前記中央ボス部と概ね同じ直径の概略円板状を成し、中央部が前記ファン方向に曲面で形成された円形の第１の凸部と、前記第１の凸部と同じ高さで前記基部方向に延びる第２の凸部が突出していることを特徴とする請求項１に記載のファン飛び出し防止用アダプタ。
【発明の詳細な説明】
【技術分野】
【０００１】
本発明は、開放型のファンユニットに後付けにて取り付けられるファン飛び出し防止用アダプタに関するものである。
【背景技術】
【０００２】
従来、通風路を形成する短尺筒状のケーシングを有するハウジングと、通風路内に配置されハウジングの一側（裏面側とする）の端部から支持されたファンとを有する所謂開放型のファンユニットが提案されている。このようなファンユニットにおいては、ファンは短尺筒状のハウジングの裏面側のみにて支持されている。つまり、ファンの支持構造が通風路の裏面側のみに設けられている。そのため、通風路の長さ方向に小型化を図ることができる（例えば、特許文献１参照）。
【０００３】
【特許文献１】特開２００６−３２２４２０号公報
【発明の開示】
【発明が解決しようとする課題】
【０００４】
しかしながら、上記構造の開放型のファンユニットによれば、ケーシング（通風路）の前面側が開放されており、振動、回転、加減速などが大きい過酷な使用環境においては、ハウジングからファンが飛び出すという問題があった。
【０００５】
本発明は、上記に鑑みてなされたものであって、所謂開放型のファンユニットに取り付けられハウジングからのファン飛び出し防止用アダプタを得ることを目的とする。
【課題を解決するための手段】
【０００６】
上述した課題を解決し、目的を達成するために、本発明のファン飛び出し防止用アダプタは、回転軸に連結された中央ボス部、および中央ボスの外周部に取り付けられた複数の回転羽根を有するファンと、ファンを囲繞する筒状のハウジングとを備えたファンユニットに取り付けられハウジングからのファン飛び出し防止用アダプタであり、このファン飛び出し防止用アダプタは、中央ボス部に所定の間隔を空けて対向する対向部と、ハウジングに掛止された基部と、基部から細長形状に延び対向部を支持する支持部とを備えたことを特徴とする。
【発明の効果】
【０００７】
この発明によれば、ファンユニットに後付けにて簡単に取り付けることができ、振動、回転、加減速などの過酷な使用環境においても、ハウジングからファンが飛び出すことがない。
【発明を実施するための最良の形態】
【０００８】
以下に、本発明にかかるファン飛び出し防止用アダプタの実施の形態を図面に基づいて詳細に説明する。なお、この実施の形態によりこの発明が限定されるものではない。
【０００９】
実施の形態１．
図１は本発明にかかる実施の形態１のファン飛び出し防止用アダプタのファンユニットに取り付けられた様子を示す斜視図である。図２は実施の形態１のファン飛び出し防止用アダプタのファンユニットに取り付ける様子を示す斜視図である。図３はファンユニットを背面側から見た様子を示す斜視図である。図４はファン飛び出し防止用アダプタの裏面側から見た詳細な斜視図である。図５はファン飛び出し防止用アダプタの表面側から見た詳細な斜視図である。
【００１０】
図１から図３において、ファンユニット４０は、ファン１０とハウジング２０とから構成されている。そして、ファン１０のハウジング２０からの飛び出しを防止する目的で、ファンユニット４０のハウジング２０にファン飛び出し防止用アダプタ５０が後付け（アドオン）にて取り付けられている。
【００１１】
ファン１０は合成樹脂等で作製され、円筒状の中央ボス部１１の周縁に複数の回転羽根１２を一体形成して構成されている。中央ボス部１１内にはモータが内蔵されている。
【００１２】
ハウジング２０は、回転羽根１２を囲繞するようにして通風路を形成する短尺円筒状のケーシング２２を有している。そして、図３に示すように、ケーシング２２の裏面側開口部の位置にて、モータベース２１とこれを支持するスポーク２３とによりファン１０が支持されている。
【００１３】
ケーシング２２の前面周縁及び後面周縁には、外形形状が矩形の前面フランジ部２４と後面フランジ部２５とが外方に向かって立設されている。このフランジ部２４，２５は、ケーシング２２の外周壁と接する枠状に形成されるとともに、各コーナー部分には取付孔２６が穿孔されている。
【００１４】
ファン飛び出し防止用アダプタ５０は、ファンユニット４０のハウジング２０の前面開口部、つまりケーシング２２の前面周縁に形成された前面フランジ部２４に取り付けられている。アダプタ５０は、合成樹脂等により一体に形成されて作製され、ファン１０の中央ボス部１１に所定の間隔を空けて対向する概略円板状の対向板（対向部）５１と、ハウジング２０の前面フランジ部２４に固定された基部５２と、対向板５１と基部５２との間に細長く延びて架け渡され基部５２から対向板５１を支持するスポーク（支持部）５３とを有している。
【００１５】
対向板５１は、ファン１０の中央ボス部１１の直径と概略同じ大きさの直径を有する円板状を成し、中央ボス部１１との間に僅かな隙間をもって対向している。対向板５１は、ファン１０が軸方向に外れようとした際、ファン１０に接触して飛び出しを防止する。図４に示されるように、対向板５１の周縁部には、規制枠部５１ａが全周にわたって立設されている。規制枠部５１ａは、ファン１０が飛び出そうとして前進した際、この飛び出そうとするファン１０に接触して、ファン１０の半径方向への移動を規制する。
【００１６】
基部５２は、概略直線状に延びる２本の部材でなり、各々前面フランジ部２４の対向する２辺に密着するようにして固定されている。２本の基部５２のそれぞれの端部には基部５２に対して垂直方向に立設された係合爪５４が設けられている。そして、２本の基部５２は、前面フランジ部２４の対向する２辺に、それぞれこの係合爪５４を掛止することにより固定されている。４個の係合爪５４のうち、１つの係合爪には係合凸部５４ａが形成されている。この係合凸部５４ａは、前面フランジ部２４に形成された係合凹部２４ａ（図１）に係合して、基部５２の長手方向のスライドを防止する。
【００１７】
スポーク５３は、対向板５１の外周部から放射状に延び基部５２に連結されている。スポーク５３は、ケーシング２２の形成する通風路に面している。そのため、スポーク５３は、ファンユニット４０の送風を遮らないように、十分な剛性を保った上で十分に細くされている。
【００１８】
ファン飛び出し防止用アダプタ５０は、上記の構造であるため、ファンユニット４０の前面側からハウジング２０に押し付けると係合爪５４が弾性変形して前面フランジ部２４の縁部に係合する。つまり、本実施の形態のファン飛び出し防止用アダプタ５０は、特にドライバーなどの工具を必要とすることなく、またねじやビスなどの固定具を用いることなく前面側から押し付けるだけでワンタッチで取り付けることができる。
【００１９】
図６はファンユニット４０およびファン飛び出し防止用アダプタ５０が電子機器の筐体１００内部に実装された様子を示す斜視図である。本実施の形態のファンユニット４０は、取付孔２６に挿入された例えばビスなどの固定具により電子機器の筐体１００の内部に取り付けられる。筐体１００の取付面には、千鳥配置となるよう複数列に整然と並べられた六角形状の孔が複数開口されている（図２）。
【００２０】
本実施の形態のファン飛び出し防止用アダプタ５０は、対向板５１、基部５２およびスポーク５３が、概略同一面上に配置されているので、ファンユニット４０に取り付けられてもファンユニット４０の軸方向の大きさを僅かばかり大きくするのみである。そればかりか、従来、図６にしめすように、ファン１０のハウジング２０からの飛び出しを危惧して、ファンユニット４０に近づけることができなかった重要機器１１０，１１０などを、ファン飛び出し防止用アダプタ５０の極近傍まで近づけて配設することができる。これにより、筐体１００内のスペースを有効利用することができる。
【００２１】
なお、本実施の形態において、ファン１０の中央ボス部１１に所定の間隔を空けて対向する対向部は、概略円板状の対向板５１によって構成されている。そして、ファン１０に対向する対向部は、必ずしも円板状の対向板５１によって構成される必要はないが、対向部を円板状の対向板５１にすることによりスペースを有効に活用することができる。
【００２２】
実施の形態２．
図７は本発明にかかる実施の形態２のファン飛び出し防止用アダプタの裏面側から見た詳細な斜視図である。図８はファン飛び出し防止用アダプタの表面側から見た詳細な斜視図である。本実施の形態のファン飛び出し防止用アダプタ６０も、図１および図２に示す、実施の形態１のファン飛び出し防止用アダプタ５０と同じように、ファン１０のハウジング２０からの飛び出しを防止する目的で、ファンユニット４０のハウジング２０に後付け（アドオン）にて取り付けられる。以降、ファンユニット４０に取り付けられているとして説明する。
【００２３】
対向板６１は、ファン１０の中央ボス部１１の直径と概略同じ大きさの直径を有する円板状を成し、中央ボス部１１との間に僅かな隙間をもって対向する。対向板６１は、ファン１０が軸方向に外れようとした際、ファン１０に接触して飛び出しを防止する。図７に示されるように、対向板６１の周縁部には、規制枠部６１ａが周縁に沿って断続的に立設されている。対向板６１は、ファン１０が飛び出そうとして前進した際、ファン１０に接触して飛び出しを防止し、また、飛び出そうとするファン１０の半径方向への移動を規制するとともに、ファン１０からの風が対向板７１に衝突した際に隣接する規制枠部６１ａの間から逃がすことにより風きり音を削減する。
【００２４】
基部６２は、概略直線状に延びる２本の部材でなり、各々前面フランジ部２４の対向する２辺に密着するようにして固定される。２本の基部６２のそれぞれの端部には基部６２に対して垂直方向に立設された係合爪６４が設けられている。そして、２本の基部６２は、前面フランジ部２４の対向する２辺に、それぞれこの係合爪６４を掛止することにより固定される。
【００２５】
スポーク６３は、対向板６１の外周部から放射状に延び基部６２に連結されている。スポーク６３は、ケーシング２２の形成する通風路に面している。そのため、スポーク６３は、十分な剛性を保った上で、ファンユニット４０の送風を遮らないように、また風きり音を発生させない目的で十分に細く断面形状はファン１０側に円弧の半円形状に形成されている。
【００２６】
実施の形態３．
図９は本発明にかかるファン飛び出し防止用アダプタの実施の形態３のファンユニットに取り付けられた様子を示す斜視図である。図１０はファン飛び出し防止用アダプタの裏面側から見た詳細な斜視図である。図１１はファン飛び出し防止用アダプタの表面側から見た詳細な斜視図である。
【００２７】
図９において、ファンユニット４０は、ファン１０とハウジング２０とから構成されている。そして、ファン１０のハウジング２０からの飛び出しを防止する目的で、ハウジング２０にファン飛び出し防止用アダプタ７０が後付け（アドオン）にて取り付けられている。
【００２８】
ファン１０は合成樹脂等からなり、円筒状の中央ボス部１１の周縁に複数の回転羽根１２を一体形成して構成されている。中央ボス部１１内には、モータが内蔵されている。
【００２９】
ハウジング２０は、回転羽根１２を囲繞するように通風路を形成する短尺円筒状のケーシング２２を有している。そして、ケーシング２２の裏面側開口部の位置にて、図示しないモータベースとこれを支持するスポークとでファン１０を支持している。
【００３０】
ケーシング２２の前面及び後面周縁には、外形形状が矩形の前面フランジ部２４と後面フランジ部２５とが外方に向かって立設されている。このフランジ部２４，２５は、ケーシング２２の外周壁と接する枠状に形成されるとともに、各コーナー部分には取付孔２６が穿孔されている。
【００３１】
ファン飛び出し防止用アダプタ７０は、ファンユニット４０のハウジング２０の前面開口部、つまりケーシング２２の前面周縁に形成された前面フランジ部２４に取り付けられている。アダプタ７０は、合成樹脂等により一体に形成されて作製され、ファン１０の中央ボス部１１に所定の間隔を空けて対向する概略円板状の対向板（対向部）７１と、ハウジング２０の前面フランジ部２４に固定された基部７２と、対向板７１と基部７２との間に細長く延びて架け渡されそれらを支持するスポーク（支持部）７３とを有している。
【００３２】
対向板７１は、ファン１０の中央ボス部１１の直径と概略同じ大きさの直径を有し、中央ボス部１１との間に僅かな隙間をもって対向しており、図１０に示されるように、裏面側（中央ボス部１１と対向する側）の中央部には、なだらかな曲面で形成された円形の第一凸部７１ａが設けられている。さらにまた、対向板７１の裏面には、この第一凸部７１ａの側部から同じ高さで各々基部７２方向に延びる第二凸部７１ｂが同じくなだらかな曲面で形成されている。一方、図１１に示されるように、対向板７１の表面には、第一凸部７１ａおよび第二凸部７１ｂに対応した位置にへこみが形成されている。このなだらかな曲面で形成された第一凸部７１ａおよび第二凸部７１ｂは、ファン１０からの風が対向板７１に衝突した際にスムーズに逃がすことにより風きり音を発生させない目的で形成されている。この対向板７１は、ファン１０が軸方向に外れようとした際、ファン１０に接触して飛び出しを防止する。
【００３３】
基部７２は、概略直線状に延びる２本の部材でなり、各々前面フランジ部２４の対向する２辺に密着するようにして固定されている。２本の基部７２のそれぞれの端部には基部７２に対して垂直方向に立設された係合爪７４が設けられている。そして、２本の基部７２は、前面フランジ部２４の対向する２辺に、それぞれこの係合爪７４を掛止することにより固定されている。
【００３４】
スポーク７３は、対向板７１の外周部から放射状に延び基部７２に連結されている。スポーク７３は、ケーシング２２の形成する通風路に面している。そのため、スポーク７３は、十分な剛性を保った上で、ファンユニット４０の送風を遮らないように、また風きり音を発生させない目的で十分に細く断面形状は円に形成されている。
【００３５】
ファン飛び出し防止用アダプタ７０は、上記の構造であるため、ファンユニット４０の前面側からハウジング２０に押し付けると係合爪７４が弾性変形して前面フランジ部２４の縁部に係合する。つまり、本実施の形態のファン飛び出し防止用アダプタ７０は、特に工具を必要とすることなく、またねじやビスなど固定具を用いることなく前面側から押し付けるだけでワンタッチで取り付けることができる。
【００３６】
図１２はファンユニットおよびファン飛び出し防止用アダプタが電子機器の筐体内部に実装された様子を示す斜視図である。本実施の形態のファンユニット４０は、取付孔２６に挿入された固定具により電子機器の筐体１００の内部に取り付けられる。筐体１００の取付面には、千鳥配置となるよう複数列に整然と並べられた六角形状の孔が複数開口されている。
【００３７】
本実施の形態のファン飛び出し防止用アダプタ７０は、対向板７１、基部７２およびスポーク７３が、概略同一面上に配置されているので、ファンユニット４０に取り付けられてもファンユニット４０の長さを大きくすることがない。そればかりか、従来、図４にしめすように、ファン１０のハウジング２０からの飛び出しを危惧して、ファンユニット４０に近づけることができなかった重要機器１１１，１１２，１３３などを、ファン飛び出し防止用アダプタ７０の極近傍まで近づけて配設することができる。
【００３８】
なお、本実施の形態において、ファン１０の中央ボス部１１に所定の間隔を空けて対向する対向部は、概略円板状の対向板７１によって構成されている。そして、ファン１０に対向する対向部は、必ずしも円板状の対向板７１によって構成される必要はないが、対向部を円板状の対向板７１にすることによりスペースを有効に活用することができる。
【００３９】
実施の形態４．
図１３は本発明にかかるファン飛び出し防止用アダプタの実施の形態４のファンユニットに取り付けられた様子を示す斜視図である。本実施の形態のファン飛び出し防止用アダプタ８０は、ハウジング２０の前面開口部を覆い側面部も含めてファンユニット４０を包むように配設されている。アダプタ８０は、板金の折り曲げ加工により一体に成型され、ファン１０の中央ボス部１１に所定の間隔を空けて対向する矩形の対向板（対向部）８１と、図示しない電子機器の筐体にねじやビスなど固定具により固定された基部８２と、対向板８１と基部８２との間に細長く延びて架け渡され基部８２から対向板８１を支持するスポーク（支持部）８３とを有している。
【００４０】
対向板８１は、ファン１０の中央ボス部１１の直径と概略同じ大きさの矩形平板状を成し、中央ボス部１１との間に僅かな隙間をもって対向している。この対向板８１は、ファン１０が軸方向に外れようとした際、ファン１０に接触して飛び出しを防止する。
【００４１】
基部８２は、概略直線状に延びる断面Ｌ字型の部材でなり、フランジ状に延びる一方の平面部８６を筐体に密着するようにして締着されている。スポーク８３は、対向板８１の四隅から放射状に延び２本の基部８２の両端にそれぞれ連結されている。
【００４２】
本実施の形態のファン飛び出し防止用アダプタ８０は、板金の折り曲げ加工により作製されているので、安価で容易に作製することができ、コストダウンを図ることができる。また、本実施の形態のファン飛び出し防止用アダプタ８０は、対向板８１、基部８２およびスポーク８３が、板金の厚さの同一面上に配置されているので、ファンユニット４０に取り付けられてもファンユニット４０の長さを大きくすることがない。これにより、従来、ファンユニット４０から所定距離離して配置していた重要機器などを、ファン飛び出し防止用アダプタ８０の極近傍まで近づけて配設することができ、スペースを有効に活用することができる。
【００４３】
実施の形態５．
図１４は本発明にかかるファン飛び出し防止用アダプタの実施の形態５のファンユニットに取り付けられた様子を示す斜視図である。本実施の形態のファン飛び出し防止用アダプタ９０においては、基部９２は、概略直線状に延びる断面Ｌ字型の部材でなり、筐体に固定するためのフランジ状の平面部９７は内側に折り曲げられて作製されている。対向板９１およびスポーク９３は、実施の形態４の対向板８１およびスポーク８３と同様である。
【００４４】
このような構成のファン飛び出し防止用アダプタ９０においては、基部９２の筐体に固定するためのフランジ状の平面部９７が内側に折り曲げられているので、実施の形態４のものと比較してコンパクトである。ひいては、このファン飛び出し防止用アダプタ９０が取り付けられる装置を小型化することができる。
【産業上の利用可能性】
【００４５】
以上のように、本発明にかかるファン飛び出し防止用アダプタは、開放型のファンユニットに取り付けられて有用なものであり、特に、振動、回転、加減速などが大きい過酷な使用環境において使用される開放型のファンユニットに取り付けられて最適なものである。
【図面の簡単な説明】
【００４６】
【図１】本発明にかかる実施の形態１のファン飛び出し防止用アダプタのファンユニットに取り付けられた様子を示す斜視図である。
【図２】ファン飛び出し防止用アダプタの実施の形態１のファンユニットに取り付ける様子を示す斜視図である。
【図３】ファンユニットを背面側から見た様子を示す斜視図である。
【図４】実施の形態１のファン飛び出し防止用アダプタの裏面側から見た詳細な斜視図である。
【図５】実施の形態１のファン飛び出し防止用アダプタの表面側から見た詳細な斜視図である。
【図６】実施の形態１のファンユニットおよびファン飛び出し防止用アダプタが電子機器の筐体内部に実装された様子を示す斜視図である。
【図７】本発明にかかる実施の形態２のファン飛び出し防止用アダプタの裏面側から見た詳細な斜視図である。
【図８】実施の形態２のファン飛び出し防止用アダプタの表面側から見た詳細な斜視図である。
【図９】本発明にかかるファン飛び出し防止用アダプタの実施の形態３のファンユニットに取り付けられた様子を示す斜視図である。
【図１０】実施の形態３のファン飛び出し防止用アダプタの裏面側から見た詳細な斜視図である。
【図１１】実施の形態３のファン飛び出し防止用アダプタの表面側から見た詳細な斜視図である。
【図１２】実施の形態３のファンユニットおよびファン飛び出し防止用アダプタが電子機器の筐体内部に実装された様子を示す斜視図である。
【図１３】本発明にかかるファン飛び出し防止用アダプタの実施の形態４のファンユニットに取り付けられた様子を示す斜視図である。
【図１４】本発明にかかるファン飛び出し防止用アダプタの実施の形態５のファンユニットに取り付けられた様子を示す斜視図である。
【符号の説明】
【００４７】
１０  ファン
１１  中央ボス部
１２  回転羽根
２０  ハウジング
２１  モータベース
２２  ケーシング
２３  スポーク
２４  前面フランジ部（フランジ部）
２４ａ  係合凹部
２５  後面フランジ部
２６  取付孔
４０  ファンユニット
５０，６０，７０，８０，９０  ファン飛び出し防止用アダプタ
５１，６１，７１，８１，９１  対向板（対向部）
５１ａ，６２ａ  規制枠部
５２，６２，７２，８２，９２  基部
５３，６３，７３，８３，９３  スポーク（支持部）
５４，６４，７４  係合爪
５４ａ  係合凸部
８６，９７  基部のフランジ状の平面部
１００  電子機器の筐体
１１０，１１１，１１２，１１３  重要機器
【図１】
0004950815.tif 000002
【図２】
0004950815.tif 000003
【図３】
0004950815.tif 000004
【図４】
0004950815.tif 000005
【図５】
0004950815.tif 000006
【図６】
0004950815.tif 000007
【図７】
0004950815.tif 000008
【図８】
0004950815.tif 000009
【図９】
0004950815.tif 000010
【図１０】
0004950815.tif 000011
【図１１】
0004950815.tif 000012
【図１２】
0004950815.tif 000013
【図１３】
0004950815.tif 000014
【図１４】
0004950815.tif 000015